(57)【要約】  【課題】ノックダウン方式のカーテンウォール構造において、無目の取付け作業に当たって、無目が転倒して脱落しないように保持し得る構造とするとともに、無目の取付け作業を省力化し得るカーテンウォール構造を提供する。  【解決手段】躯体に対して方立２，２…を取付けたならば、これら方立２，２の無目取付け位置に自重受けブラケット８，８を固定した後、これら自重受けブラケット８，８間に無目３、３…を架け渡して開口枠を形成し、各開口枠にカーテンウォールパネルを取り付けることにより構築されたカーテンウォール構造において、前記方立２の室外側に前記無目３の室外側への転倒を防止する転倒防止金具４を備えるとともに、前記方立２の室外側に取り付けた縦押縁５によって前記転倒防止金具４が隠蔽されている。【選択図】図２
2010116756.tif 000002
【特許請求の範囲】
【請求項１】
躯体に対して方立を取付けたならば、これら方立の無目取付け位置に自重受けブラケットを固定した後、これら自重受けブラケット間に無目を架け渡して開口枠を形成し、各開口枠にカーテンウォールパネルを取り付けることにより構築されたカーテンウォール構造において、
前記方立の室外側に前記無目の室外側への転倒を防止する転倒防止金具を備えるとともに、前記方立の室外側に取り付けた縦押縁によって前記転倒防止金具が隠蔽されていることを特徴とするカーテンウォール構造。
【請求項２】
前記転倒防止金具は、前記無目の室外側面と当接するか近接する転倒防止面を有する請求項１記載のカーテンウォール構造。
【請求項３】
前記転倒防止金具は、前記方立の室外側先端に取り付けられ、左右両側に夫々前記転倒防止面が形成されている請求項２記載のカーテンウォール構造。
【請求項４】
前記転倒防止金具には、無目方向に突出する突出片が形成されているとともに、この突出片の上面に無目の一部が載置されている請求項１〜３いずれかに記載のカーテンウォール構造。
【請求項５】
前記縦押縁は、見付けフランジと、室内側面に突出する取付け用脚部とを有する断面略Ｔ字状部材とされ、前記取付け用脚部が方立に係合して取り付けられるとともに、前記転倒防止金具と干渉する部位の取付け用脚部が切り欠かれている請求項１〜４いずれかに記載のカーテンウォール構造。
【発明の詳細な説明】
【技術分野】
【０００１】
本発明は、ノックダウン方式のカーテンウォール構造において、無目の取付け作業に当たり、無目の脱落を防止したカーテンウォール構造に関する。
【背景技術】
【０００２】
従来より、カーテンウォール工法によって建物の外壁を構築する場合、予め四周を枠材によって枠組みしたカーテンウォールユニットを順に取付ける、所謂ユニット方式と、施工場所において躯体に方立を取り付けたならば、これら方立間に無目を取り付けて開口枠を形成し、各開口にカーテンウォールパネルを取り付ける手順による、所謂ノックダウン方式とが行われている。
【０００３】
前者のユニット方式は、予め方立および無目を組み立てた枠状のパネルユニットを取付けるものであるため、施工は効率的であるけれども、各ユニット間の取り合いおよび止水構造等が複雑になるなどのデメリットがある一方、後者のノックダウン方式は、構造は簡略化されるが、現場で方立と無目との連結作業を行わなければならず、かかる連結構造に手間と時間が掛かるため作業が省力化かつ効率化されないなどの問題があった。
【０００４】
かかるノックダウン方式において、無目を方立に取り付けるには、図１１に示されるように、方立５０の無目取付け位置に自重受けブラケット５１，５１を固定した後、これら自重受けブラケット５１，５１間に無目５２を架け渡し、前記自重受けブラケット５１の下面側からビス５３を螺入して前記無目５２を固定するようにしていた。
【０００５】
近年は、無目の取付け作業を省力化するために、自重受けブラケットの上面にピン又は突起を突設し、無目の下面に形成されたピン孔又は開孔に差し込んで無目を固定する方法も幾つか提案されている（特許文献１〜４等参照）。
【特許文献１】実開平４−８２２１６号公報
【特許文献２】実開昭６３−５３４１８号公報
【特許文献３】特開２００３−３１３９８３号公報
【特許文献４】特開昭６１−９５１４０号公報
【発明の開示】
【発明が解決しようとする課題】
【０００６】
しかしながら、上記特許文献１〜３記載の無目取付け構造のように、方立が室外側面に断面Ｔ字状の見付けフランジを有する場合には、無目が室外側に転倒しても脱落する虞はないが、上記特許文献４記載の無目取付け構造のように、方立が見付けフランジを有しない構造か、見付けフランジ（縦押縁）が後付けされる構造の場合には、無目を自重受けブラケットに載置した後、自重受けブラケットの固定作業が完了するまで、無目が転倒して脱落しないように慎重に作業を行う必要があった。
【０００７】
また、方立と無目との連結は、前記自重受けブラケットと共に、無目の背面側において、断面Ｌ字状の無目固定用ブラケットを用いて方立と無目とを連結するようにしていることが多く、この場合は無目の固定作業は前記自重受けブラケットによる第１手順と、前記無目固定用ブラケットによる第２手順との２手順となるとともに、ボルトの締結方向が異なるため作業性が悪いという問題もあった。
【０００８】
そこで本発明の主たる課題は、無目の取付け作業に当たって、無目が転倒して脱落しないように保持し得る構造とするとともに、無目の取付け作業を省力化し得るカーテンウォール構造を提供することにある。
【課題を解決するための手段】
【０００９】
前記課題を解決するために請求項１に係る本発明として、躯体に対して方立を取付けたならば、これら方立の無目取付け位置に自重受けブラケットを固定した後、これら自重受けブラケット間に無目を架け渡して開口枠を形成し、各開口枠にカーテンウォールパネルを取り付けることにより構築されたカーテンウォール構造において、
前記方立の室外側に前記無目の室外側への転倒を防止する転倒防止金具を備えるとともに、前記方立の室外側に取り付けた縦押縁によって前記転倒防止金具が隠蔽されていることを特徴とするカーテンウォール構造が提供される。
【００１０】
上記請求項１記載の発明においては、方立の室外側に前記無目の室外側への転倒を防止する転倒防止金具を備えているため、無目を取り付けた際に、無目が室外側に転倒し脱落するのを確実に防止することができる。また、前記転倒防止金具によって無目の室外側を押さえているため、方立と無目とを連結する無目固定用ブラケットを不要とすることが可能となり、取付け作業が省力化されるとともに、無目の断面形状が簡略化される。さらに、設計自由度が向上する、コストの削減が図れる、内観意匠性が向上するなどの効果が同時にもたらされるようになる。
【００１１】
請求項２に係る本発明として、前記転倒防止金具は、前記無目の室外側面と当接するか近接する転倒防止面を有する請求項１記載のカーテンウォール構造が提供される。
【００１２】
上記請求項２記載の発明では、転倒防止金具は、前記無目の室外側面と当接するか近接する転倒防止面を有するため、無目を確実に支持し、僅かの転倒をも防止することが可能となる。
【００１３】
請求項３に係る本発明として、前記転倒防止金具は、前記方立の室外側先端に取り付けられ、左右両側に夫々前記転倒防止面が形成されている請求項２記載のカーテンウォール構造が提供される。
【００１４】
上記請求項３記載の発明では、左右両側に夫々前記転倒防止面が形成されているため、１つの金具で左右の無目の転倒防止を図ることが可能となる。
【００１５】
請求項４に係る本発明として、前記転倒防止金具には、無目方向に突出する突出片が形成されているとともに、この突出片の上面に無目の一部が載置されている請求項１〜３いずれかに記載のカーテンウォール構造が提供される。
【００１６】
上記請求項４記載の発明では、転倒防止金具には、無目方向に突出する突出片が形成されているとともに、この突出片の上面に無目の一部が載置されているため、僅かの転倒動作をさせることなく無目を確実に支持することが可能となる。
【００１７】
請求項５に係る本発明として、前記縦押縁は、見付けフランジと、室内側面に突出する取付け用脚部とを有する断面略Ｔ字状部材とされ、前記取付け用脚部が方立に係合して取り付けられるとともに、前記転倒防止金具と干渉する部位の取付け用脚部が切り欠かれている請求項１〜４いずれかに記載のカーテンウォール構造が提供される。
【００１８】
上記請求項５記載の発明では、縦押縁は、見付けフランジと、室内側面に突出する取付け用脚部とを有する断面略Ｔ字状部材とされ、前記取付け用脚部が方立に係合して取り付けられるとともに、前記転倒防止金具と干渉する部位の取付け用脚部が切り欠かれているため、前記縦押縁が縦方向に連続した意匠とすることができる。
【発明の効果】
【００１９】
以上詳説のとおり本発明によれば、無目の取付け作業に当たって、無目が転倒して脱落しないように保持し得るとともに、無目の取付け作業を省力化し得るようになる。
【発明を実施するための最良の形態】
【００２０】
以下、本発明の実施の形態について図面を参照しながら詳述する。
【００２１】
図１は本発明に係るカーテンウォールの正面図、図２は図１のII−II線矢視図、図３は図１のIII−III線矢視図である。なお、図２及び図３ではガラスを取付ける前の開口枠の状態を示している。
【００２２】
本カーテンウォール１は、建物躯体（床）の端部に固定された方立支持金具によって、水平方向に所定の間隔をおいて上下方向に沿って方立２，２…を固定した後、この方立２，２間に上下方向に所定間隔で無目３，３…を架け渡して開口枠を形成し、各開口枠に対してガラス等のパネルを嵌合設置したカーテンウォール構造である。
【００２３】
前記方立２は、詳細には図３に示されるように、相対的に室内側に位置する中空部方形断面の方立本体２Ａと、この方立本体２Ａの室外側面の中央位置に、部材長手方向に沿って連続するとともに、室外方向に突出して形成された方立突出片２Ｂとからなる。前記方立本体２Ａの室外側両側面には、凹部２ａが形成され、固形シール材が嵌合されている。また、前記方立突出片２Ｂには、ガラスの背面側を支持するための縦押縁が支持される係合片２ｂが形成されているとともに、その室外側には後述する転倒防止金具４及び見付けフランジを兼用する縦押縁５を取り付けるための係合片２ｃ、２ｃが連設されている。なお、これら２つの係合片２ｃ、２ｃの内、転倒防止金具４の取付けには室外側の係合片２ｃのみが使用され、縦押縁５の取付けには２つの係合片２ｃ、２ｃが使用される。
【００２４】
一方、前記無目３は、端面が方立２の方立突出片２Ｂの壁面に対面する位置に配置され、図２に示されるように、前記方立２の方立突出片２Ｂに固定された自重受けブラケット８、８によって方立２、２間に支持されるようになっている。前記無目３は中空状の無目本体３Ａと、この無目本体３Ａの室外側面上部から室外側に延在するとともに、先端にビード保持部３ａを備える上段側ガラス保持片３Ｂと、前記無目本体３Ａの室外側面中間部から室外側に延在するとともに、上面に横押縁係止片３ｂ、３ｃを備える水平突出片３Ｃと、この水平突出片３Ｃの先端から下側に屈曲して延在する垂下片３Ｄとからなる。前記横押縁係止片３ｂ、３ｃに横押縁６が取り付けられ、上段側ガラスの嵌合溝ＭＵが形成されるとともに、前記無目本体３Ａ、水平突出片３Ｃ及び垂下片３Ｄにより下段側ガラスの嵌合溝ＭＤが形成されている。
【００２５】
前記自重受けブラケット８は、詳細には図５に示されるように、方立２への取付けのためリベット孔８ｃ，８ｃが形成されたベース板８Ａと、水平方向に突出し無目支持面８ａを形成するブラケット部８Ｂとからなる部材であり、前記ブラケット部８Ｂには上下方向に貫通する雌ネジ孔８ｂが形成され、この雌ネジ孔８ｂにビス９が下面側から螺設され、上方側に突出するネジ軸部によって無目係止突部８Ｃが形成されている。また、前記ブラケット部８Ｂの上面には、四フッ化エチレン樹脂、六フッ化エチレンプロピレン樹脂、フッ化ビニル樹脂等のフッ素系樹脂がコーティングされた滑り材１０が配設され、無目３の熱膨張や熱収縮による摺動が円滑に行われるようにするとともに、前記摺動に伴う軋み音の発生を防止するように配慮されている。
【００２６】
前記自重受けブラケット８の無目係止突部８Ｃは、無目３の一方端側、すなわち固定端側にのみ設け、無目３の他方端側は自由端とすべく、ビス９を設けずに単にブラケット部８Ｂの上面に無目３を載置するようにする。もちろん、前記自由端側において、無目３の伸縮を阻害しないように、無目３に形成される後述の開孔３ｄを長孔とし、これにビス９を係止させるようにしてもよい。
【００２７】
なお、本例ではビス９により無目係止突部８Ｃを形成したが、前記ブラケット部８Ｂにピン孔を形成し下面側から挿入したピンをカシメによって固定し、上方側に突出したピン軸によって無目係止突部８Ｃを形成しても良いし、前記自重受けブラケット８から一体的に連続して上方側に突出する軸部を設け、無目係止突部８Ｃとしても良い。いずれにしても、上方に突出する無目係止突部８Ｃが形成されておればよい。
【００２８】
前記無目３の室外側には、図４にも示されるように、方立２の方立突出片２Ｂに形成された係合片２ｃに対して係合させた状態で転倒防止金具４が設けられている。この転倒防止金具４は、詳細には図６に示されるように、前記無目３の室外側面と当接するか近接する転倒防止面４Ａと、この転倒防止面４Ａの室内側面より室内側に向かって突出するとともに、先端に前記係合片２ｃに対する被係合片４ｂを備える取付け用脚部４Ｂと、前記転倒防止面４Ａの下部両端から室内側に突出する無目載置用突出片４Ｃ、４Ｃとからなる小片状部材である。前記取付け用脚部４Ｂには通孔４ａが形成されており、ビス１１によって方立２に固定されるようになっている。
【００２９】
また、前記方立２の方立突出片２Ｂに形成された係合片２ｃ、２ｃに係合させた状態で、見付けフランジを兼用する縦押縁５が設けられている。この縦押縁５は、詳細には図７に示されるように、見付けフランジ５Ａと、室内側面に突出するとともに、先端側に被係合片５ａ、５ａを備える取付け用脚部５Ｂとからなる断面略Ｔ字状部材とされる。図示されるように、前記被係合片５ａ、５ａが方立突出片２Ｂの係合片２ｃ、２ｃに係合させた状態で、ビス１２を貫入させることにより方立２に対して堅固に固定される。前記縦押縁５は、前記転倒防止金具４と干渉する部位の取付け用脚部５Ｂが切り欠かれ、前記転倒防止金具４は縦押縁５によって隠蔽されるようになっている。
【００３０】
＜無目３の取付け構造＞
前記無目３を方立２に取り付けるには、先ず図８に示されるように、方立２の方立突出片２Ｂの壁面であってかつ無目３の取付け位置に対して、方立２の方立突出部２Ｂを跨いだ両側に自重受けブラケット８，８をリベット２２，２２により固定する。また、前記転倒防止金具４を方立２の方立突出片２Ｂの先端側に取り付ける。
【００３１】
前記自重受けブラケット８及び転倒防止金具４の取付けを完了したならば、同図８に示されるように、前記無目３を吊持し取付け位置に持ち込み、無目本体３Ａの下面に形成された開孔３ｄに前記自重受けブラケット８の無目係止突部８Ｃ（ビス９）を挿入させながら、無目３を自重受けブラケット８の無目支持面８ａ、８ａに載置する。また、無目３に対して横押縁６を取り付ける。
【００３２】
図９に示されるように、前記無目３の取付け状態では、無目３の垂下片３Ｄは、前記転倒防止金具４の転倒防止面４Ａに対して、当接するか近接した状態にあり、かつ前記垂下片３Ｄの下端は、転倒防止金具４の無目載置用突出片４Ｃ、４Ｃの上面に載置された状態となっており、前記転倒防止金具４によって、無目３が室外側に転倒して脱落するのを防止する。
【００３３】
そして、図１０に示されるように、方立２の方立突出片２Ｂに対して、見付けフランジを兼用する縦押縁５を取り付ける。なお、縦押縁５と縦押縁５との目地部には、バックアップ材１３及びシール材１４が充填され、前記縦押縁５，５…は縦方向に連続するようになっている。
【００３４】
その後、前記方立２、２及び無目３，３によって形成される開口枠においては、前記方立２の方立突出片２Ｂにガラス背面を支持する縦押縁（図示せず）が設けられることによって、周方向に沿ってガラス嵌合溝が形成され、このガラス嵌合溝にガラスを嵌合させたならば、バックアップ材及びシーツ材又はビード材によってガラス周縁が支持される。
【００３５】
〔その他の形態例〕
(1)上記カーテンウォール構造では無目３を自重受けブラケット８のみで支持するようにしたが、強度上の理由から、無目３の背面側に連結用のボルト頭部を嵌合させるリップ状溝を形成し、このリップ状溝にボルト頭部を嵌合させた連結ボルトを無目取付け用ブラケットに締結するようにしてもよい。
(2)上記形態例では、見付けフランジを兼用する縦押縁５によって縦ラインを強調したカーテンウォールデザインとしたが、前記縦押縁５の見付け幅を小さくするとともに、横押縁６，６の見付け幅を大きくし、かつ横押縁６，６を横方向に連続させて横ラインを強調したカーテンウォールデザインとしてもよい。
【図面の簡単な説明】
【００３６】
【図１】本発明に係るカーテンウォールの正面図である。
【図２】図１のII−II線矢視図である。
【図３】図１のIII−III線矢視図である。
【図４】無目３の取付け部位の斜視図である。
【図５】自重受けブラケット８を示す、(A)は正面図、(B)は側面図である。
【図６】転倒防止金具４を示す、(A)は平面図、(B)は右側面図である。
【図７】縦押縁５の取付け状態を示す平面図である。
【図８】無目３の取付け手順図（その１）である。
【図９】無目３の取付け手順図（その２）である。
【図１０】無目３の取付け手順図（その３）である。
【図１１】従来の無目取付け構造を示す図である。
【符号の説明】
【００３７】
１…カーテンウォール、２…方立、２ａ…凹部、３…無目、４…転倒防止金具、４Ａ…転倒防止面、４Ｂ…取付け用脚部、４Ｃ…突出片、５…縦押縁、６…横押縁、８…自重受けブラケット、８ａ…無目支持面、８ｂ…雌ネジ孔、８Ｃ…無目係止突部（ビス９）
【図１】
2010116756.tif 000003
【図２】
2010116756.tif 000004
【図３】
2010116756.tif 000005
【図４】
2010116756.tif 000006
【図５】
2010116756.tif 000007
【図６】
2010116756.tif 000008
【図７】
2010116756.tif 000009
【図８】
2010116756.tif 000010
【図９】
2010116756.tif 000011
【図１０】
2010116756.tif 000012
【図１１】
2010116756.tif 000013